(57)【要約】本発明はアプリケーション情報の検索方法及びその装置を提供する。前記方法はクライアントから検索語を受信するステップと、前記検索語の関連アプリケーションおよび関連ページを取得するとともに、前記クライアントに前記関連アプリケーションおよび関連ページを含む検索結果を返送し、前記クライアントがローカルに前記関連アプリケーションがあると判定した場合には、前記関連アプリケーションを開くとともに、前記関連ページを表示するようにするステップとを含む。本発明実施形態のアプリケーション情報の検索方法は、検索語の関連アプリケーションおよび関連ページを取得することによって、ユーザーが望むアプリケーションおよびその関連情報をより迅速かつ便利に取得し、更に、クライアントが関連アプリケーションを開く場合には、関連ページを表示することができるため、ユーザーの時間を節約し、ユーザー体験を向上することができる。
2016527615.tif 000002
【特許請求の範囲】
【請求項１】
クライアントから検索語を受信するステップと、
前記検索語の関連アプリケーションおよび関連ページを取得するとともに、前記クライアントに前記関連アプリケーションおよび関連ページを含む検索結果を返送し、前記クライアントがローカルに前記関連アプリケーションがあると判定した場合には、前記関連アプリケーションを開くとともに、前記関連ページを表示するようにするステップと
を含むことを特徴とするアプリケーション情報の検索方法。
【請求項２】
前記検索語の関連アプリケーションおよび関連ページを取得する前に、更に、
提出された、キーワード及びページ情報を含む情報を受信するステップと、
前記情報の関連アプリケーションを取得し、前記情報及びその関連アプリケーションを含む情報リストを確立して保存するステップと
を含むことを特徴とする請求項１に記載の方法。
【請求項３】
前記提出された情報を受信した後に、前記情報の関連アプリケーションを取得する前に、更に、
前記キーワードと前記ページ情報とが関連するか否かを検出するステップを含むことを特徴とする請求項２に記載の方法。
【請求項４】
前記情報の関連アプリケーションを取得することは、
前記キーワードと前記ページ情報とが関連すると判定された場合には、所定の戦略に基づいて前記キーワードと前記アプリケーションとの関連度を取得するとともに、前記関連度に基づいて前記情報の関連アプリケーションを取得することを含み、
前記所定の戦略は、検索ホットスポットのクリアランス調査戦略、キーワードの割合警報戦略及び信用度戦略の中の少なくとも一種類を含むことを特徴とする請求項３に記載の方法。
【請求項５】
前記キーワードと前記ページ情報とが関連するか否かを検出した後に、更に、
検出結果に基づいて信用度情報を更新するステップを含むことを特徴とする請求項３または４に記載の方法。
【請求項６】
前記提出された情報を受信するステップは、
頻度情報を取得し、前記頻度情報に基づいてインタフェースを介して前記情報を受信するステップを含むことを特徴とする請求項２に記載の方法。
【請求項７】
前記クライアントに前記関連アプリケーションおよび関連ページを含む検索結果を返送した後に、更に、
前記クライアントが前記関連ページを表示した後に返送した評価情報を受信し、前記評価情報に基づいて信用度情報を更新するステップを含むことを特徴とする請求項１に記載の方法。
【請求項８】
ユーザーにより入力された検索語を取得するステップと、
サーバーに前記検索語を送信するとともに、前記サーバーが返送した、前記検索語の関連アプリケーションおよび関連ページを含む検索結果を受信するステップと、
前記検索結果に基づいて、ローカルに前記関連アプリケーションがあると判定された場合には、前記関連アプリケーションを開くとともに、前記関連ページを表示するステップとを含むことを特徴とするアプリケーション情報の検索方法。
【請求項９】
前記検索結果に基づいてローカルに前記関連アプリケーションがないと判定された場合には、前記関連アプリケーションをダウンロードするステップを更に含むことを特徴とする請求項８に記載の方法。
【請求項１０】
前記関連ページを表示した後に、更に、
前記サーバーに評価情報を送信し、サーバーに前記評価情報に基づいて信用度情報を更新させるステップを含むことを特徴とする請求項８に記載の方法。
【請求項１１】
クライアントから検索語を受信するように構成された受信モジュールと、
前記受信モジュールが受信した前記検索語の関連アプリケーションおよび関連ページを取得するとともに、前記クライアントに前記関連アプリケーションおよび関連ページを含む検索結果を返送し、前記クライアントがローカルに前記関連アプリケーションがあると判定した場合には、前記関連アプリケーションを開くとともに、前記関連ページを表示するようにするよう構成された処理モジュールと
を含むことを特徴とするアプリケーション情報の検索装置。
【請求項１２】
前記処理モジュールが前記検索語の関連アプリケーションおよび関連ページを取得する前に、提出された、キーワード及びページ情報を含む情報を受信し、前記情報の関連アプリケーションを取得し、前記情報及びその関連アプリケーションを含む情報リストを確立して保存するように構成された確立・保存モジュールを更に含むことを特徴とする請求項１１に記載の装置。
【請求項１３】
前記確立・保存モジュールが提出された情報を受信した後に、前記情報の関連アプリケーションを取得する前に、前記キーワードと前記ページ情報とが関連するか否かを検出するように構成された検出モジュールを更に含むことを特徴とする請求項１２に記載の装置。
【請求項１４】
前記処理モジュールは、前記検出モジュールにより前記キーワードと前記ページ情報との関連性が検出されると判定された場合には、所定の戦略に基づいて前記キーワードとアプリケーションとの関連度を取得するとともに、前記関連度に基づいて前記情報の関連アプリケーションを取得するように構成されており、
前記所定の戦略は、検索ホットスポットのクリアランス調査戦略、キーワードの割合警報戦略及び信用度戦略の中の少なくとも一種類を含むことを特徴とする請求項１３に記載の装置。
【請求項１５】
前記検出モジュールが前記キーワードと前記ページ情報とが関連するか否かを検出した後に、検出結果に基づいて信用度情報を更新するように構成された第一更新モジュールを更に含むことを特徴とする請求項１３または１４に記載の装置。
【請求項１６】
前記受信モジュールは、頻度情報を取得し、前記頻度情報に基づいてインタフェースを介して前記情報を受信するように構成されていることを特徴とする請求項１２に記載の装置。
【請求項１７】
前記処理モジュールが前記クライアントに前記関連アプリケーションおよび関連ページを含む検索結果を返送した後に、前記クライアントが前記関連ページを表示した後に返送した評価情報を受信し、前記評価情報に基づいて信用度情報を更新するように構成された第二更新モジュールを更に含むことを特徴とする請求項１１に記載の装置。
【請求項１８】
ユーザーにより入力された検索語を取得するように構成された取得モジュールと、
サーバーに前記検索語を送信するとともに、前記サーバーが返送した、前記検索語の関連アプリケーションおよび関連ページを含む検索結果を受信するように構成された送受信モジュールと、
前記検索結果に基づいて、ローカルに前記関連アプリケーションがあると判定された場合には、前記関連アプリケーションを開くとともに、前記関連ページを表示するように構成された表示モジュールと
を含むことを特徴とするアプリケーション情報の検索装置。
【請求項１９】
前記検索結果に基づいてローカルに前記関連アプリケーションがないと判定された場合には、前記関連アプリケーションをダウンロードするよう構成されたダウンロードモジュールを更に含むことを特徴とする請求項１８に記載の装置。
【請求項２０】
前記送受信モジュールは、更に、
前記表示モジュールが前記関連ページを表示した後に、前記サーバーに評価情報を送信し、サーバーに前記評価情報に基づいて信用度情報を更新させるように構成されていることを特徴とする請求項１８に記載の装置。
【請求項２１】
コンピュータに、請求項１〜７のいずれか一項に記載のアプリケーション情報の検索方法を実行させるプログラムを記憶したことを特徴とする記憶媒体。
【請求項２２】
コンピュータに、請求項８〜１０のいずれか一項に記載のアプリケーション情報の検索方法を実行させるプログラムを記憶したことを特徴とする記憶媒体。
【発明の詳細な説明】
【関連出願の相互参照】
【０００１】
本出願は、百度オンライン網絡技術（北京）有限公司が２０１４年０５月０６日に提出し、発明名称が「アプリケーション情報の検索方法及びその装置」で、中国特許出願番号が「２０１４１０１８９０４４．３」の優先権を主張する。
【技術分野】
【０００２】
本発明は、コンピューターインターネット技術分野に関し、特にアプリケーション情報の検索方法及びその装置に関する。 
【背景技術】
【０００３】
現在では、アプリストア（ａｐｐ  ｓｔｏｒｅ）に類似するプラットフォーム全体はいずれも開発者がアプリケーションを提出することをサポートする。そのうち、アプリケーションは、名称や唯一のラベル、スクリーンショット、アイコン、概要、キーワード、バージョン情報、新機能情報、製品サポート情報などを含む。アプリストアにおいて、ユーザーは検索アプリケーション機能によって検索語を入力して自分の望むアプリケーションを検索することができる。そのうち、検索語を利用する検索は、主に前記関連情報によってアプリケーション情報を検索することである。
【０００４】
しかし、本発明を実現する過程において、発明者は、先行技術において、少なくとも以下の問題がある。例えば、ニュース系、ビデオ系、財経系、観光系、チケット系などのリアルタイム性が高いアプリケーションを検索する場合には、アプリケーションにおいて提供された最新情報は、チェックを提出する時に収録されないため、ユーザーが望むアプリケーションを検索できない可能性があり、ユーザー体験が悪くなる。
【発明の概要】
【発明が解決しようとする課題】
【０００５】
本発明は、少なくともある程度まで、上述の技術問題点を解決することを趣旨とする。
【０００６】
そのため、本発明は、アプリケーション情報の検索方法を提出することを、一つ目の目的とする。当該方法は、ユーザーの検索時間を節約し、ユーザー体験を向上することができる。
【０００７】
本発明は別のアプリケーション情報の検索方法を提供することを二つ目の目的とする。
【０００８】
本発明はアプリケーション情報の検索装置を提供することを三つ目の目的とする。
【０００９】
本発明は別のアプリケーション情報の検索装置を提供することを四つ目の目的とする。
【００１０】
本発明は記憶媒体を提供することを五つ目の目的とする。
【００１１】
本発明は記憶媒体を提供することを六つ目の目的とする。
【課題を解決するための手段】
【００１２】
前記目的を達成するため、本発明の第一方面の実施形態はアプリケーション情報の検索方法を提供する。当該方法は、クライアントから検索語を受信するステップと、前記検索語の関連アプリケーションおよび関連ページを取得するとともに、前記クライアントに前記関連アプリケーションおよび関連ページを含む検索結果を返送し、前記クライアントがローカルに前記関連アプリケーションがあると判定した場合には、前記関連アプリケーションを開くとともに、前記関連ページを表示するようにするステップとを含む。
【００１３】
本発明の実施形態に係るアプリケーション情報の検索方法によれば、検索語の関連アプリケーションおよび関連ページを取得することによって、ユーザーが望むアプリケーションおよびその関連情報をより迅速かつ便利に取得し、更に、クライアントが関連アプリケーションを開く場合には、関連ページを表示することができるため、ユーザーの時間を節約し、ユーザー体験を向上することができる。
【００１４】
本発明の第２方面の実施形態は別のアプリケーション情報の検索方法を提供する。当該方法は、ユーザーにより入力された検索語を取得するステップと、サーバーに前記検索語を送信するとともに、前記サーバーが返送した、前記検索語の関連アプリケーションおよび関連ページを含む検索結果を受信するステップと、前記検索結果に基づいて、ローカルに前記関連アプリケーションがあると判定された場合には、前記関連アプリケーションを開くとともに、前記関連ページを表示するステップとを含む。
【００１５】
本発明の実施形態に係るアプリケーション情報の検索方法によれば、検索語の関連アプリケーションおよび関連ページを取得するとともに、関連アプリケーションを開く場合には、関連ページを表示することができることによって、ユーザーが望むアプリケーションおよびその関連情報をより迅速かつ便利に取得し、ユーザーの時間を節約し、ユーザー体験を向上することができる。
【００１６】
本発明の第３方面の実施形態は、アプリケーション情報の検索装置を提供する。当該装置は、クライアントから検索語を受信するように構成された受信モジュールと、前記受信モジュールが受信した前記検索語の関連アプリケーションおよび関連ページを取得するとともに、前記クライアントに前記関連アプリケーションおよび関連ページを含む検索結果を返送し、前記クライアントがローカルに前記関連アプリケーションがあると判定した場合には、前記関連アプリケーションを開くとともに、前記関連ページを表示するようにするよう構成された処理モジュールとを含む。
【００１７】
本発明の実施形態に係るアプリケーション情報の検索装置によれば、検索語の関連アプリケーションおよび関連ページを取得することによって、ユーザーが望むアプリケーションおよびその関連情報をより迅速かつ便利に取得し、更に、クライアントが関連アプリケーションを開く場合には、関連ページを表示することができるため、ユーザーの時間を節約し、ユーザー体験を向上することができる。
【００１８】
本発明の第４方面の実施形態は、別のアプリケーション情報の検索装置を提供する。当該装置は、ユーザーにより入力された検索語を取得するように構成された取得モジュールと、サーバーに前記検索語を送信するとともに、前記サーバーが返送した、検索語の関連アプリケーションおよび関連ページを含む検索結果を受信するように構成された送受信モジュールと、前記検索結果に基づいて、ローカルに前記関連アプリケーションがあると判定された場合には、前記関連アプリケーションを開くとともに、前記関連ページを表示するように構成された表示モジュールとを含む。
【００１９】
本発明の実施形態に係るアプリケーション情報の検索装置によれば、検索語の関連アプリケーションおよび関連ページを取得するとともに、関連アプリケーションを開く場合には、関連ページを表示することができることによって、ユーザーが望むアプリケーションおよびその関連情報をより迅速かつ便利に取得し、ユーザーの時間を節約し、ユーザー体験を向上することができる。
【００２０】
本発明の第５方面の実施形態は、本発明第一方面の実施形態に記載のアプリケーション情報の検索方法を実行させるプログラムを記憶した記憶媒体を提供する。
【００２１】
本発明の第６方面の実施形態は、本発明第二方面の実施形態に記載のアプリケーション情報の検索方法を実行させるプログラムを記憶した記憶媒体を提供する。
【００２２】
本発明の付加の方面及び利点が下記の説明において部分的に表れられ、一部が下記の説明よりより明らかとなり、或は本発明の実行より了解できる。
【図面の簡単な説明】
【００２３】
本発明の上述及び／或いは付加的方面とメリットは、下記の図面を結合した実施形態に対する説明において、明らかになり、理解されることが容易になる。その中で、
【図１】本発明の一実施形態によるアプリケーション情報の検索方法のフローチャートである；
【図２】本発明の一実施形態による情報及びその関連アプリケーションを含む情報リストを確立して保存するフローチャートである；
【図３】本発明の一つの具体的な実施形態によるアプリケーション情報の検索方法のフローチャートである；
【図４】本発明の別の実施形態によるアプリケーション情報の検索方法のフローチャートである；
【図５】本発明の別の具体的な実施形態によるアプリケーション情報の検索方法のフローチャートである；
【図６】本発明の一実施形態によるアプリケーション情報の検索装置のブロック図である；
【図７】本発明の一つの具体的な実施形態によるアプリケーション情報の検索装置のブロック図である；
【図８】本発明の別の実施形態によるアプリケーション情報の検索装置のブロック図である。
【発明を実施するための形態】
【００２４】
以下に、本発明の実施形態を詳細に説明する。前記実施形態の実例が図面において示されるが、一貫して同一または類似する符号は、相同又は類似の部品、或いは、相同又は類似の機能を有する部品を表す。以下に、図面を参照しながら説明される実施形態が例示性のものであり、本発明を解釈するためだけに用いられるものであって、本発明を制限するように理解されてはならない。
【００２５】
以下に、添付図面を参照しながら本発明の実施形態によるアプリケーション情報の検索方法及びその装置を説明する。
【００２６】
図１は本発明の一実施形態によるアプリケーション情報の検索方法のフローチャートである。本実施形態は、サーバー側に対して説明する。図１に示したように、当該アプリケーション情報の検索方法はステップＳ１０１と、ステップＳ１０２とを含む。
【００２７】
ステップＳ１０１において、クライアントから検索語を受信する。
【００２８】
本発明の実施形態において、サーバーは、クライアントから検索語を受信することができる。そのうち、検索語は、サーバーによりクライアントで入力されたものである。
【００２９】
ステップＳ１０２において、検索語の関連アプリケーションおよび関連ページを取得するとともに、クライアントに関連アプリケーションおよび関連ページを含む検索結果を返送し、クライアントがローカルに関連アプリケーションがあると判定した場合には、関連アプリケーションを開くとともに、関連ページを表示するようにする。
【００３０】
本発明の実施形態において、クライアントから検索語を受信した後に、サーバーは、検索語に基づいて検索し、検索語の関連アプリケーションおよび関連ページを取得してから、クライアントに検索された関連アプリケーションおよび関連ページを返送し、クライアントがローカルに関連アプリケーションがあると判定した場合には、関連アプリケーションを開くとともに、関連ページを表示するようにすることができる。例えば、ユーザーの検索語は、「サムスンＳ５」である場合には、サーバーは、「サムスンＳ５」に基づいて検索し、「サムスンＳ５」を含む関連アプリケーション（ＡＰＰ）および「サムスンＳ５」の関連ページを取得することができる。そのうち、「サムスンＳ５」を含む関連アプリケーション（ＡＰＰ）は、例えば、新浪ニュースＡＰＰ、網易ニュースＡＰＰなどのニュース系ＡＰＰを含んでもよいし、京東ショッピングセンターＡＰＰ、アマゾンＡＰＰなどのショッピング系ＡＰＰを含んでもよい。クライアントには新浪ニュースＡＰＰがある場合には、新浪ニュースＡＰＰを開いて、「サムスンＳ５」に関連するニュースページなどを表示することができる。クライアントには京東ショッピングセンターＡＰＰがある場合には、京東ショッピングセンターＡＰＰを開いて、「サムスンＳ５」に関連する情報ページなどを表示することができる。
【００３１】
本発明の実施形態において、検索語の関連アプリケーションおよび関連ページを取得するために、サーバーが検索語の関連アプリケーションおよび関連ページを取得する前に、情報及びその関連アプリケーションを含む情報リストを確立して保存することができ、図２示したように、具体的には、ステップＳ２０１と、ステップＳ２０２と、ステップＳ２０３とを含む。
【００３２】
ステップＳ２０１において、提出された、キーワード及びページ情報を含む情報を受信する。
【００３３】
具体的には、サーバーは、頻度情報を取得してから、頻度情報に基づいて第三者サービスにより提供されたインタフェースを介して開発者により提出された情報を受信することができる。そのうち、頻度情報は、一定期間内に開発者により提出された情報の頻度である。開発者により提出された情報は、キーワード及びページ情報などを含むことができる。
【００３４】
ステップＳ２０２において、キーワードとページ情報とが関連するか否かを検出する。
【００３５】
提出された情報を受信した後に、サーバーはキーワードとページ情報とが関連するか否かを検出することができる。
【００３６】
ステップＳ２０３において、情報の関連アプリケーションを取得し、情報及びその関連アプリケーションを含む情報リストを確立して保存する。
【００３７】
具体的には、キーワードとページ情報とが関連する場合には、サーバーは所定の戦略に基づいてキーワードとアプリケーションとの関連度を取得するとともに、関連度に基づいて情報の関連アプリケーションを取得することができる。そのうち、所定の戦略は、検索ホットスポットのクリアランス調査戦略、キーワードの割合警報戦略及び信用度戦略の中の少なくとも一種類を含むが、それらに限定されない。情報の関連アプリケーションを取得した後に、サーバーは情報及びその関連アプリケーションを含む情報リストを確立して保存することができる。
【００３８】
本発明の実施形態において、キーワードとページ情報とが関連するか否かを検出した後に、サーバーは、更に、検出結果に基づいて信用度情報を更新することができる。そのうち、信用度情報はアアプリケーションランキングの根拠であることができ、信用度が高い場合には、アアプリケーションランキングが上位になり、信用度が低い場合には、アアプリケーションランキングが下位になる。開発者により提出されたキーワード全体は、ページ情報と関連する場合には、当該開発者は高い信用度を有する。開発者により提出されたキーワードはページ情報と関連しない場合には、当該開発者は低い信用度を有する。信用度の高い開発者により提出された情報は、サンプリング方式を採用して検出することができるが、信用度の低い開発者により提出された情報全体は、検出する必要がある。即ち、信用度の低い開発者により提出された情報に対する検出強度は信用度の高い開発者により提出された情報に対する検出強度より大きい。
【００３９】
本発明の実施形態に係るアプリケーション情報の検索方法によれば、検索語の関連アプリケーションおよび関連ページを取得することによって、ユーザーが望むアプリケーションおよびその関連情報をより迅速かつ便利に取得し、更に、クライアントが関連アプリケーションを開く場合には、関連ページを表示することができるため、ユーザーの時間を節約し、ユーザー体験を向上することができる。
【００４０】
図３は本発明の一つの具体的な実施形態によるアプリケーション情報の検索方法のフローチャートである。本実施形態において、サーバー側に対して説明する。図３に示したように、当該アプリケーション情報の検索方法はステップＳ３０１と、ステップＳ３０２と、ステップＳ３０３とを含む。
【００４１】
ステップＳ３０１において、クライアントから検索語を受信する。
【００４２】
本発明の実施形態において、サーバーは、クライアントから検索語を受信することができる。そのうち、検索語は、サーバーによりクライアントで入力されたものである。
【００４３】
ステップＳ３０２において、検索語の関連アプリケーションおよび関連ページを取得するとともに、クライアントに関連アプリケーションおよび関連ページを含む検索結果を返送し、クライアントがローカルに関連アプリケーションがあると判定した場合には、関連アプリケーションを開くとともに、関連ページを表示するようにする。
【００４４】
本発明の実施形態において、クライアントから検索語を受信した後に、サーバーは、検索語に基づいて検索し、検索語の関連アプリケーションおよび関連ページを取得してから、クライアントに検索された関連アプリケーションおよび関連ページを返送し、クライアントがローカルに関連アプリケーションがあると判定した場合には、関連アプリケーションを開くとともに、関連ページを表示するようにすることができる。例えば、ユーザーの検索語は、「サムスンＳ５」である場合には、サーバーは、「サムスンＳ５」に基づいて検索し、「サムスンＳ５」を含む関連アプリケーション（ＡＰＰ）および「サムスンＳ５」の関連ページを取得することができる。そのうち、「サムスンＳ５」を含む関連アプリケーション（ＡＰＰ）は、例えば、新浪ニュースＡＰＰ、網易ニュースＡＰＰなどのニュース系ＡＰＰを含んでもよいし、京東ショッピングセンターＡＰＰ、アマゾンＡＰＰなどのショッピング系ＡＰＰを含んでもよい。クライアントには新浪ニュースＡＰＰがある場合には、新浪ニュースＡＰＰを開いて、「サムスンＳ５」に関連するニュースページなどを表示することができる。クライアントには京東ショッピングセンターＡＰＰがある場合には、京東ショッピングセンターＡＰＰを開いて、「サムスンＳ５」に関連する情報ページなどを表示することができる。
【００４５】
ステップＳ３０３において、クライアントが関連ページを表示した後に返送した評価情報を受信し、評価情報に基づいて信用度情報を更新する。
【００４６】
本発明の実施形態において、サーバーは、クライアントが関連ページを表示した後に返送した評価情報を受信し、評価情報に基づいて信用度情報を更新することができる。ユーザーの表示された関連ページに対する評価が満足である場合には、アプリケーションの信用度が増加する。ユーザーの表示された関連ページに対する評価が不満である場合には、アプリケーションの信用度が低減する。
【００４７】
本発明実施形態のアプリケーション情報の検索方法は、クライアントが返送した評価情報に基づいて信用度情報を更新することによって、アプリケーションをインテリジェントにランキングして、ユーザーが信用度の高いアプリケーションをより便利に取得し、ユーザーの時間を節約し、ユーザー体験を向上することができる。
【００４８】
図４は本発明の別の実施形態によるアプリケーション情報の検索方法のフローチャートである。本実施形態は、サーバー側に対して説明する。図４に示したように、当該アプリケーション情報の検索方法はステップＳ４０１と、ステップＳ４０２と、ステップＳ４０３とを含む。
【００４９】
ステップＳ４０１において、ユーザーにより入力された検索語を取得する。
【００５０】
本発明の実施形態において、クライアントは、ユーザーにより入力された検索語を取得することができる。そのうち、検索語は、ユーザーが望む資源のキーワードであり、例えば、ユーザーがサムスンＳ５の発売日や価格などの関連情報を取得したい場合には、サムスンＳ５を入力して検索することができる。
【００５１】
ステップＳ４０２において、サーバーに検索語を送信するとともに、サーバーが返送した、検索語の関連アプリケーションおよび関連ページを含む検索結果を受信する。
【００５２】
本発明の実施形態において、クライアントはユーザーにより入力された検索語を取得した後に、サーバーに当該検索語を送信することができて、サーバーに当該検索語に基づいて検索させる。サーバーが検索結果を取得した後に、クライアントはサーバーにより返送された検索結果を受信することができる。そのうち、検索結果には、検索語の関連アプリケーションおよび関連ページを含むことができる。
【００５３】
ステップＳ４０３において、検索結果に基づいて、ローカルに関連アプリケーションがあると判定された場合には、関連アプリケーションを開くとともに、関連ページを表示する。
【００５４】
本発明の実施形態において、クライアントは、検索結果に基づいて、ローカルに関連アプリケーションがある否かを判定することができる。関連アプリケーションがある場合には、関連アプリケーションを開くとともに、関連ページを表示する。例えば、ユーザーの検索語は、「サムスンＳ５」である場合は、検索結果には、京東ショッピングセンターＡＰＰなどを含むことができる。クライアントローカルに京東ショッピングセンターＡＰＰがある場合には、京東ショッピングセンターＡＰＰを開くとともに、「サムスンＳ５」に関連する情報ページを表示する。
【００５５】
ローカルに関連情報がない場合には、クライアントは関連アプリケーションをローカルにダウンロードしてから、インストールすることができる。クライアントが関連アプリケーションをダウンロードした後に、関連アプリケーションを開くとともに、関連する情報ページを表示する。
【００５６】
本発明の実施形態に係るアプリケーション情報の検索方法によれば、検索語の関連アプリケーションおよび関連ページを取得するとともに、関連アプリケーションを開く場合には、関連ページを表示することができることによって、ユーザーが望むアプリケーションおよびその関連情報をより迅速かつ便利に取得し、ユーザーの時間を節約し、ユーザー体験を向上することができる。
【００５７】
図５は、本発明の別の具体的な実施形態によるアプリケーション情報の検索方法のフローチャートである。本実施形態は、サーバー側に対して説明する。図５に示したように、当該アプリケーション情報の検索方法はステップＳ５０１と、ステップＳ５０２と、ステップＳ５０３と、ステップＳ５０４とを含む。
【００５８】
ステップＳ５０１において、ユーザーにより入力された検索語を取得する。
【００５９】
本発明の実施形態において、クライアントは、ユーザーにより入力された検索語を取得することができる。そのうち、検索語は、ユーザーが望む資源のキーワードであり、例えば、ユーザーがサムスンＳ５の発売日や価格のなど関連情報を取得したい場合には、サムスンＳ５を入力して検索することができる。
【００６０】
ステップＳ５０２において、サーバーに検索語を送信するとともに、サーバーが返送した、検索語の関連アプリケーションおよび関連ページを含む検索結果を受信する。
【００６１】
本発明の実施形態において、クライアントはユーザーにより入力された検索語を取得した後に、サーバーに当該検索語を送信することができて、サーバーに当該検索語に基づいて検索させる。サーバーが検索結果を取得した後に、クライアントは、サーバーにより返送された検索結果を受信することができる。そのうち、検索結果には、検索語の関連アプリケーションおよび関連ページを含むことができる。
【００６２】
ステップＳ５０３において、検索結果に基づいて、ローカルに関連アプリケーションがあると判定された場合には、関連アプリケーションを開くとともに、関連ページを表示する。
【００６３】
本発明の実施形態において、クライアントは、検索結果に基づいて、ローカルに関連アプリケーションがある否かを判定することができる。関連アプリケーションがある場合には、関連アプリケーションを開くとともに、関連ページを表示する。例えば、ユーザーの検索語は、「サムスンＳ５」である場合は、検索結果には、京東ショッピングセンターＡＰＰなどを含むことができる。クライアントローカルに京東ショッピングセンターＡＰＰがある場合には、京東ショッピングセンターＡＰＰを開くとともに、「サムスンＳ５」に関連する情報ページを表示する。ローカルに関連情報がない場合には、クライアントは関連アプリケーションをローカルにダウンロードしてから、インストールすることができる。クライアントが関連アプリケーションをダウンロードした後に、関連アプリケーションを開くとともに、関連する情報ページを表示する。
【００６４】
ステップＳ５０４において、サーバーに評価情報を送信し、サーバーに評価情報に基づいて信用度情報を更新させる。
【００６５】
本発明の実施形態において、クライアントは、ユーザーの評価情報を受信するとともに、当該評価情報をサーバーに送信し、サーバーに評価情報に基づいて信用度情報を更新させる。ユーザーの表示された関連ページに対する評価が満足である場合には、アプリケーションの信用度が増加する。ユーザーの表示された関連ページに対する評価が不満である場合には、アプリケーションの信用度が低減する。
【００６６】
本発明の実施形態のアプリケーション情報の検索方法によれば、評価情報をサーバーに送信し、サーバーに評価情報に基づいて信用度情報を更新させ、アプリケーションをインテリジェントにランキングすることによって、ユーザーが信用度の高いアプリケーションをより便利に取得し、ユーザーの時間を節約し、ユーザー体験を向上することができる。
【００６７】
上述の実施形態を実現するために、本発明は、更に、アプリケーション情報の検索装置を提供する。
【００６８】
図６は本発明の一実施形態によるアプリケーション情報の検索装置のブロック図である。図６に示したように、当該アプリケーション情報の検索装置は、受信モジュール１１０と、処理モジュール１２０とを含む。
【００６９】
具体的には、受信モジュール１１０は、クライアントから検索語を受信するように構成されている。
【００７０】
本発明の実施形態において、受信モジュール１１０はクライアントから検索語を受信することができる。そのうち、検索語は、サーバーによりクライアントで入力されたものである。
【００７１】
処理モジュール１２０は、受信モジュール１１０が受信した検索語の関連アプリケーションおよび関連ページを取得するとともに、クライアントに関連アプリケーションおよび関連ページを含む検索結果を返送し、クライアントがローカルに関連アプリケーションがあると判定した場合には、関連アプリケーションを開くとともに、関連ページを表示するようにするよう構成されている。
【００７２】
本発明の実施形態において、受信モジュール１１０がクライアントから検索語を受信した後に、処理モジュール１２０は検索語の関連アプリケーションおよび関連ページを取得してから、クライアントに検索された関連アプリケーションおよび関連ページを返送し、クライアントがローカルに関連アプリケーションがあると判定した場合には、関連アプリケーションを開くとともに、関連ページを表示するようにすることができる。例えば、ユーザーの検索語は、「サムスンＳ５」である場合には、サーバーは、「サムスンＳ５」に基づいて検索し、「サムスンＳ５」を含む関連アプリケーション（ＡＰＰ）および「サムスンＳ５」の関連ページを取得することができる。そのうち、「サムスンＳ５」を含む関連アプリケーション（ＡＰＰ）は、例えば、新浪ニュースＡＰＰ、網易ニュースＡＰＰなどのニュース系ＡＰＰを含んでもよいし、京東ショッピングセンターＡＰＰ、アマゾンＡＰＰなどのショッピング系ＡＰＰを含んでもよい。クライアントには新浪ニュースＡＰＰがある場合には、新浪ニュースＡＰＰを開いて、「サムスンＳ５」に関連するニュースページなどを表示することができる。クライアントには京東ショッピングセンターＡＰＰがある場合には、京東ショッピングセンターＡＰＰを開いて、「サムスンＳ５」に関連する情報ページなどを表示することができる。
【００７３】
本発明の実施形態に係るアプリケーション情報の検索装置によれば、検索語の関連アプリケーションおよび関連ページを取得することによって、ユーザーが望むアプリケーションおよびその関連情報をより迅速かつ便利に取得し、更に、クライアントが関連アプリケーションを開く場合には、関連ページを表示することができるため、ユーザーの時間を節約し、ユーザー体験を向上することができる。
【００７４】
図７は本発明の一つの具体的な実施形態によるアプリケーション情報の検索装置のブロック図である。図７に示したように、当該アプリケーション情報の検索装置は、受信モジュール１１０と、処理モジュール１２０と、確立・保存モジュール１３０と、検出モジュール１４０と、第一更新モジュール１５０と、第二更新モジュール１６０とを含む。
【００７５】
具体的には、確立・保存モジュール１３０は、処理モジュール１２０が検索語の関連アプリケーションおよび関連ページを取得する前に、提出された情報を受信してから、情報の関連アプリケーションを取得し、情報及びその関連アプリケーションを含む情報リストを確立して保存するように構成されている。
【００７６】
具体的には、確立・保存モジュール１３０は、頻度情報を取得してから、頻度情報に基づいて第三者サービスにより提供されたインタフェースを介して開発者により提出された情報を受信することができる。そのうち、頻度情報は、一定期間内に開発者により提出された情報の頻度である。開発者により提出された情報は、キーワード及びページ情報などを含むことができる。
【００７７】
検出モジュール１４０は、確立・保存モジュール１３０が提出された情報を受信した後に、情報の関連アプリケーションを取得する前に、キーワードとページ情報とが関連するか否かを検出するように構成されている。
【００７８】
検出モジュール１４０がキーワードとページ情報との関連すると検出した場合には、確立・保存モジュール１３０は所定の戦略に基づいてキーワードとアプリケーションとの関連度を取得するとともに、関連度に基づいて情報の関連アプリケーションを取得することができる。そのうち、所定の戦略は、検索ホットスポットのクリアランス調査戦略、キーワードの割合警報戦略及び信用度戦略の中の少なくとも一種類を含むが、それらに限定されない。情報の関連アプリケーションを取得した後に、確立・保存モジュール１３０は情報及びその関連アプリケーションを含む情報リストを確立して保存することができる。
【００７９】
第一更新モジュール１５０は、検出モジュール１３０がキーワードとページ情報とが関連するか否かを検出した後に、検出結果に基づいて信用度情報を更新するように構成されている。
【００８０】
本発明の実施形態において、キーワードとページ情報とが関連するか否かを検出した後に、第一更新モジュール１５０は、検出結果に基づいて信用度情報を更新することができる。そのうち、信用度情報はアアプリケーションランキングの根拠であることができ、信用度が高い場合には、アアプリケーションランキングが上位になり、信用度が低い場合には、アアプリケーションランキングが下位になる。開発者により提出されたキーワード全体は、ページ情報と関連する場合には、当該開発者は高い信用度を有する。開発者により提出されたキーワードはページ情報と関連しない場合には、当該開発者は低い信用度を有する。信用度の高い開発者により提出された情報は、サンプリング方式を採用して検出することができるが、信用度の低い開発者により提出された情報全体は、検出する必要がある。即ち、信用度の低い開発者により提出された情報に対する検出強度は信用度の高い開発者により提出された情報に対する検出強度より大きい。
【００８１】
第二更新モジュール１６０は、処理モジュールがクライアントに関連アプリケーションおよび関連ページを含む検索結果を返送した後に、クライアントが関連ページを表示した後に返送した評価情報を受信し、評価情報に基づいて信用度情報を更新するように構成されている。
【００８２】
本発明の実施形態において、第二更新モジュール１６０はクライアントが関連ページを表示した後に返送した評価情報を受信し、評価情報に基づいて信用度情報を更新することができる。ユーザーの表示された関連ページに対する評価が満足である場合には、アプリケーションの信用度が増加する。ユーザーの表示された関連ページに対する評価が不満である場合には、アプリケーションの信用度が低減する。
【００８３】
本発明の実施形態に係るアプリケーション情報の検索装置によれば、クライアントが返送した評価情報に基づいて信用度情報を更新してアプリケーションをインテリジェントにランキングすることによって、ユーザーが信用度の高いアプリケーションをより便利に取得し、ユーザーの時間を節約し、ユーザー体験を向上することができる。
【００８４】
図８は本発明の別の実施形態によるアプリケーション情報の検索装置のブロック図である。図８に示したように、当該アプリケーション情報の検索装置は、取得モジュール２１０と、送受信モジュール２２０と、表示モジュール２３０と、ダウンロードモジュール２４０とを含む。
【００８５】
具体的には、取得モジュール２１０は、ユーザーにより入力された検索語を取得するように構成されている。
【００８６】
本発明の実施例において、取得モジュール２１０は、ユーザーにより入力された検索語を取得することができる。そのうち、検索語は、ユーザーが望む資源のキーワードであり、例えば、ユーザーがサムスンＳ５の発売日や価格のなど関連情報を取得したい場合には、サムスンＳ５を入力して検索することができる。
【００８７】
送受信モジュール２２０は、サーバーに検索語を送信するとともに、サーバーが返送した検索結果を受信するように構成されている。
【００８８】
本発明の実施例において、取得モジュール２１０がユーザーにより入力された検索語を取得した後に、送受信モジュール２２０がサーバーに当該検索語を送信することができて、サーバーに当該検索語に基づいて検索させる。サーバーが検索結果を取得した後に、送受信モジュール２２０がサーバーにより返送された検索結果を受信することができる。そのうち、検索結果には、検索語の関連アプリケーションおよび関連ページを含むことができる。
【００８９】
本発明の実施例において、受信モジュール２２０は、更に、表示モジュール２３０が関連ページを表示した後に、サーバーに評価情報を送信し、サーバーに評価情報に基づいて信用度情報を更新させるように構成されている。
【００９０】
本発明の実施例において、受信モジュール２２０は、ユーザーの評価情報を受信するとともに、当該評価情報をサーバーに送信し、サーバーに評価情報に基づいて信用度情報を更新させる。ユーザーの表示された関連ページに対する評価が満足である場合には、アプリケーションの信用度が増加する。ユーザーの表示された関連ページに対する評価が不満である場合には、アプリケーションの信用度が低減する。
【００９１】
表示モジュール２３０は、検索結果に基づいて、ローカルに関連アプリケーションがあると判定された場合には、関連アプリケーションを開くとともに、関連ページを表示するように構成されている。
【００９２】
本発明の実施例において、表示モジュール２３０は、検索結果に基づいて、ローカルに関連アプリケーションがあるか否かを判定することができる。関連アプリケーションがある場合には、表示モジュール２３０は、関連アプリケーションを開くとともに、関連ページを表示することができる。例えば、ユーザーの検索語は、「サムスンＳ５」である場合には、検索結果は、京東ショッピングセンターＡＰＰなどを含むことができる。クライアントには京東ショッピングセンターＡＰＰがある場合には、京東ショッピングセンターＡＰＰを開いて、「サムスンＳ５」に関連する情報ページなどを表示することができる。
【００９３】
ダウンロードモジュール２４０は、検索結果に基づいてローカルに関連アプリケーションがないと判定された場合には、関連アプリケーションをダウンロードするよう構成されている。
【００９４】
具体的には、ローカルに関連アプリケーションがない場合には、ダウンロードモジュール２４０は、関連アプリケーションをローカルにダウンロードしてから、インストールすることができる。関連アプリケーションをダウンロードした後に、表示モジュール２３０が関連アプリケーションを開くとともに、関連する情報ページを表示することができる。
【００９５】
本発明の実施形態に係るアプリケーション情報の検索装置によれば、検索語の関連アプリケーションおよび関連ページを取得するとともに、関連アプリケーションを開く場合には、関連ページを表示することができることによって、ユーザーが望むアプリケーションおよびその関連情報をより迅速かつ便利に取得し、ユーザーの時間を節約し、ユーザー体験を向上することができる。
【００９６】
上述の実施例を実現するために、本発明は、本発明図１〜図３に対応する実施形態に記載のアプリケーション情報の検索方法を実行させるプログラムを記憶した記憶媒体を更に提供する。
【００９７】
上述の実施例を実現するために、本発明は、本発明図４〜図５に対応する実施形態に記載のアプリケーション情報の検索方法を実行させるプログラムを記憶した記憶媒体を更に提供する。
【００９８】
フローチャートまたは他の方式で説明したいかなる過程や方法は、一つまたは複数の、特定ロジック性能または過程のステップの実行できるコマンドのコードのモジュール、セクターあるいは部分を含む。本発明の望ましい実施方式の範囲は、他の実現を含み、表示または討論の順序に従わなくてもよい。述べられた機能に基づいて基本的に同様な方式または逆の順序で、その機能を実行することができる。これは、本発明実施形態の当業者に理解される。
【００９９】
フローチャート中で表され、又はその他の方式で記述された論理及び／又はステップは、例えば、論理機能を実現するための命令実行可能な順序リストであると考えられてよく、具体的には、いかなるコンピュータ読取可能媒体中でも実現することができ、それによって指令実行システム、装置、若しくは設備（例えばコンピュータに基づくシステム、プロセッサを含むシステム又は他の指令実行システム、装置又は設備から指令を取得して指令を実行することができるシステム等）に使用され、又はこれらの指令実行システム、装置、若しくは設備を結合して使用される。本明細書について言えば、「コンピュータ読取可能媒体」は、プログラムを含み、保存し、通信し、伝播し又は伝送して、指令実行システム、装置若しくは設備又はこれらの指令実行システム、装置若しくは設備に使用されるいかなる装置であってもよい。コンピュータ読取可能媒体のさらに具体的な例示（非網羅的リスト）には、１つ以上の配線を有する電気接続部（電子装置）、ポータブル型コンピュータディスク（磁気装置）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、及びコンパクト光ディスク読み出し専用メモリ（ＣＤＲＯＭ）が含まれる。また、コンピュータ読取可能媒体は、その上に前述のプログラムを印刷した紙又はその他適当な媒質でさえあってよい。なぜなら、例えば、紙又はその他の媒質に対して光学スキャンを行い、続いて編集、解釈又は必要ならその他適当な方式で処理を行って、電子方式によってプログラムを取得し、その後それをコンピュータメモリ中に保存することができるからである。
【０１００】
また、理解すべきのは、本発明の各部分は、ハードウェア、ソフトウェア、部品またはそれらの組み合わせで実現できる。実施形態には、複数のステップまたは方法がメモリに保存され、適当なコマンド実行システムのソフトウェアまたは部品で実現される。たとえば、ハードウェアで実現する場合、他の実施方式と同じように、本領域周知の下記の任意一つまたはそれらの組み合わせで実現できる。すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【０１０１】
実施形態の方法にある全部または一部のステップがプログラムにより関連のハードウェアを実行することで完成されることは、本技術領域の普通技術者に理解される。プログラムは一つの計算機の読み出し書き込み可能な記憶メディアに記憶される。当プログラムを実行するとき、実施形態方法のステップの一つまたはそれらの組み合わせを含む。
【０１０２】
なお、本発明の各実施形態の各機能モジュールを一つの処理モジュールに集中し、または、単独に存在し、あるいは、二つまたは二つ以上モジュールを一つの処理モジュールに集中することができる。集成したモジュールは、ハードウェアの形式、または、ソフトウェアの形式で実現される。集成したモジュールは、ソフトウェアの形式で実現し、また、独立の製品として販売や使用するとき、計算機の読み出し書き込み可能な記憶メディアに記憶されることができる。
【０１０３】
上述の記憶メディアは、読み出し専用メモリ、ディスク、または、ＣＤなどである。
【０１０４】
本説明書には、用語「一つの実施形態」、「いくつかの実施形態」、「例示」、「具体的例示」などは、当実施形態や例示の具体的特徴、構造、材料が本発明の少なくとも一つの実施形態や例示に含まれることを意味する。本説明書には、用語の説明が必ずしも同じ実施形態や例示を意味しない。また、説明の中の具体的特徴、構造、材料は、任意の一つやいくつかの実施形態や例示に適当な方式で結合されることができる。
【０１０５】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【図１】
2016527615.tif 000003
【図２】
2016527615.tif 000004
【図３】
2016527615.tif 000005
【図４】
2016527615.tif 000006
【図５】
2016527615.tif 000007
【図６】
2016527615.tif 000008
【図７】
2016527615.tif 000009
【図８】
2016527615.tif 000010
【国際調査報告】
2016527615.tif 000011
2016527615.tif 000012
2016527615.tif 000013
2016527615.tif 000014